(57)【要約】【課題】例えば構造物の天井裏空間でケーブルなどの備品を支持するアンカーネジ棒の途中に、既存の保持金具を取り外さずに備品支持用の別の金具を装着可能な装着金具を提供すること。【解決手段】分割体２ａ，２ｂは、互に密着する分割面６ａ，６ｂを有する筒状分割部４ａ，４ｂとこれらの分割面を除く外面から突出したボルト分割部５ａ，５ｂとを有する。各筒状分割部は、分割面の側に断面半円形状の溝部７ａ，７ｂを有し、各分割面を密着して各分割体を重ねると、各筒状分割部と各ボルト分割部とが、筒部４と締結用ボルト５とを形成し、各筒状分割部の各溝部は、挿通孔７を形成する。各筒状分割部の溝部でアンカーネジ棒を挟むように各分割体を分割面で重ね、締結用ボルト５に締結ナット３を螺合して両分割体を合体することで、装着金具１Ａをアンカーネジ棒２２の途中に装着する。【選択図】    図３
2004340262.tif 000002
【特許請求の範囲】
【請求項１】
構造物躯体の壁面から突出したアンカーネジ棒の途中に取り付け可能な、備品支持用の装着金具において、
前記装着金具が、第１，２分割体と、前記第１，２分割体を締結させる締結ナットとから構成され、前記第１，２分割体のそれぞれが、前記アンカーネジ棒を嵌合可能な断面半円形状の溝部を有する筒状分割部と、前記筒状分割部の外面から突出したボルト分割部とを有し、前記筒状分割部と前記ボルト分割部とのそれぞれが分割面を有し、前記各分割面どうしを密着させて前記第１，２分割体を重ね合わせたとき、２つの前記筒状分割部が筒部を形成し、２つの前記ボルト分割部が外周面にネジ部を形成した締結用ボルトを形成し、前記各筒状分割部の前記各溝部が前記アンカーネジ棒を挿通可能にする内径の挿通孔を形成し、前記挿通孔の内周面には、前記アンカーネジ棒のネジ部に係合する係止突部が形成され、前記第１，２分割体の前記各筒状分割部における前記溝部に前記アンカーネジ棒を配置して前記第１，２分割体を前記各分割面で重ね合わせ、前記締結用ボルトに前記締結ナットを螺合して前記第１，２分割体を締結することで前記筒部を前記アンカーネジ棒の途中に係合することを特徴とする前記装着金具。
【請求項２】
前記第１，２分割体が、前記第１，２分割体の前記各分割面どうしを密着させたときに形成される前記締結用ボルトの端部と前記筒部との間に、前記締結用ボルトの前記端部から前記筒部へ向かって外径が次第に大きくなるテーパー外周部を形成するテーパー部を備え、
前記締結ナットを前記締結用ボルトに螺合したとき該締結ナットの前記筒部に対向する一端部を前記テーパー外周部に当接させ、重ね合わされている２つの前記ボルト分割部どうしの結束力を調整可能とした請求項１に記載の装着金具。
【請求項３】
前記係止突部が、前記筒部における前記挿通孔の前記内周面に形成され、前記アンカーネジ棒のネジ部に螺合可能なネジ部である請求項１又は２に記載の装着金具。
【請求項４】
前記締結ナットが、前記筒部に対向する一端部とは反対側の他端部に形成されかつ前記締結ナットの螺進方向へ延びる第１中心軸線に交差する第２中心軸線を有するネジ孔を備えている請求項１〜３のいずれかに記載の装着金具。
【発明の詳細な説明】
【０００１】
【発明の属する技術分野】
本発明は、アンカーネジ棒用の装着金具に関し、更に詳細には、例えば構造物躯体の天井面に取り付けた吊り下げ用のアンカーネジ棒の途中に装着して、天井裏空間に配置されるケーブル、配管、内装天井パネル、照明器具或いは空気調和装置の取付けブラケットなどの備品を支持するアンカーネジ棒用の装着金具に関する。
【０００２】
【従来の技術】
例えば、鉄筋コンクリート造の構造物などでは、コンクリート躯体の天井面から間隔をあけて天井用の化粧パネル即ち天板が取り付けられ、これにより躯体天井面とこの天板との間に天井裏空間が形成されている。この天井裏空間には電気系や信号系のケーブル、給排水用の配管、空気調和装置又は照明器具などの備品が設置されている。
【０００３】
一般的に、天井裏空間に配置されるこれら備品は、吊り下げ用のアンカーネジ棒（ボルト）によってコンクリート躯体の天井面から吊り下げ支持されている（特許文献１，２参照。）。すなわち、天井裏空間においてこれら備品を吊り下げ支持するアンカーネジ棒は、特許文献１，２に開示されているようにコンクリート躯体の天井面を所定の間隔で削孔し、それら削孔にアンカーネジ棒の基端を埋め込んで固定し、各アンカーネジ棒には、備品を保持するのに適した形状や構造の保持金具を装着し、これら保持金具によって備品を吊り下げ支持していた。
【０００４】
天井裏空間にかような備品が設置された構造物全体又は一部の室内をリフォームする場合、これら備品を各保持金具から外して、一時的に別な位置に仮設する必要が出てくることがある。このような場合、従来では、構造物の躯体天井面における他の位置に固定されている既設のアンカーネジ棒を利用していた。すなわち、既設のアンカーネジ棒に新たな保持金具を取り付け、この保持金具にこれら備品を仮設して一時的に待避させるようにしていた。
【０００５】
【特許文献１】
特開平７−４５１１５号公報
【特許文献２】
特開２０００−３８８００号公報
【０００６】
【発明が解決しようとする課題】
しかしながら、天井裏空間に配置された備品を吊り下げ支持する従来の手段では、アンカーネジ棒に既に保持金具が取り付けられているとき、その途中に別の保持金具を取り付けることはできず、一旦、既存の保持金具をアンカーネジ棒から外して新たな保持金具を取り付け、その後、取り外した保持金具を再装着しなければならなかった。そのため、作業時間が掛かることから施工期間が長くなり、しかも多大な労力を必要とするので、コストが高くなるなどの問題があった。
【０００７】
本発明の目的は、かかる従来の問題点を解決するためになされたもので、例えば、構造物の室内における天井裏空間においてケーブルや配管系などの備品を支持するアンカーネジ棒の途中に、該アンカーネジ棒から既存の保持金具を取り外すことなく、容易に装着して備品を直接支持又は別の保持金具などを取り付けることが可能な装着金具を提供することにある。
【０００８】
【課題を解決するための手段】
上記した課題解決のために、本発明が対象とするのは、構造物躯体の壁面から突出したアンカーネジ棒の途中に取り付け可能な、備品支持用の装着金具である。
【０００９】
かかるアンカーネジ棒用の装着金具において、本発明が特徴とするところは、前記装着金具が、第１，２分割体と、前記第１，２分割体を締結させる締結ナットとから構成され、前記第１，２分割体のそれぞれが、前記アンカーネジ棒を嵌合可能な断面半円形状の溝部を有する筒状分割部と、前記筒状分割部の外面から突出したボルト分割部とを有し、前記筒状分割部と前記ボルト分割部とのそれぞれが分割面を有し、前記各分割面どうしを密着させて前記第１，２分割体を重ね合わせたとき、２つの前記筒状分割部が筒部を形成し、２つの前記ボルト分割部が外周面にネジ部を形成した締結用ボルトを形成し、前記各筒状分割部の前記各溝部が前記アンカーネジ棒を挿通可能にする内径の挿通孔を形成し、前記挿通孔の内周面には、前記アンカーネジ棒のネジ部に係合する係止突部が形成され、前記第１，２分割体の前記各筒状分割部における前記溝部に前記アンカーネジ棒を配置して前記第１，２分割体を前記各分割面で重ね合わせ、前記締結用ボルトに前記締結ナットを螺合して前記第１，２分割体を締結することで前記筒部を前記アンカーネジ棒の途中に係合すること、である。
【００１０】
本発明に係るアンカーネジ棒用の装着金具における好ましい一つの実施態様として、前記第１，２分割体が、前記第１，２分割体の前記各分割面どうしを密着させたときに形成される前記締結用ボルトの端部と前記筒部との間に、前記締結用ボルトの前記端部から前記筒部へ向かって外径が次第に大きくなるテーパー外周部を形成するテーパー部を備え、前記締結ナットを前記締結用ボルトに螺合したとき該締結ナットの前記筒部に対向する一端部を前記テーパー外周部に当接させ、重ね合わされている２つの前記ボルト分割部どうしの結束力を調整可能としたこと、である。
【００１１】
本発明に係るアンカーネジ棒用の装着金具における好ましい他の実施態様として、前記係止突部が、前記筒部における前記挿通孔の前記内周面に形成され、前記アンカーネジ棒のネジ部に螺合可能なネジ部であること、である。
【００１２】
本発明に係るアンカーネジ棒用の装着金具における好ましい他の実施態様として、前記締結ナットが、前記筒部に対向する一端部とは反対側の他端部に形成されかつ前記締結ナットの螺進方向へ延びる第１中心軸線に交差する第２中心軸線を有するネジ孔を備えていること、である。
【００１３】
【発明の実施の形態】
以下、本発明に係るアンカーネジ棒用の装着金具について添付図面を参照して詳細に説明すると、以下のとおりである。図１は、鉄筋コンクリート製構造物２０の躯体天井面２１に一端を埋設して固定した備品吊り下げ用のアンカーネジ棒２２に、本発明の第１実施形態に係る装着金具１Ａを取り付けて示す正面図、図２は、図１のＩＩ−ＩＩ線で切断して装着金具１Ａを示す断面図、図３は、図１に示す装着金具１Ａを示す分解斜視図である。
【００１４】
備品吊り下げ用のアンカーネジ棒２２は、その基端部２２ａが鉄筋コンクリート製構造物２０の躯体天井面２１に適宜の手段で埋設され、基端部２２ａとは反対の端部２２ｂ側が、躯体天井面２１と天井パネル２７との間の天井裏空間２８に躯体天井面２１から垂下し、躯体天井面２１から垂下する部分の外周には、ネジ部２３が形成されている。アンカーネジ棒２２の端部２２ｂ側には、保持金具であるハンガー２４が２つのナット２５，２６に挟まれて取り付けられている。
アンカーネジ棒２２の端部２２ｂ側に取り付けられたハンガー２４と躯体天井面２１との間の部位には、装着金具１Ａが着脱可能に取り付けられている。
【００１５】
装着金具１Ａは、図２、３に示すように第１，２分割体２ａ，２ｂと、これら第１，２分割体２ａ，２ｂを合体させる締結ナット３とから構成されている。各分割体２ａ，２ｂは、筒状分割部４ａ，４ｂと、それら筒状分割部４ａ，４ｂの外面から突出したボルト分割部５ａ，５ｂとを備え、それら筒状分割部４ａ，４ｂとボルト分割部５ａ，５ｂとは、第１，２分割体２ａ，２ｂを互いに重ね合わせたときに密着する分割面６ａ，６ｂをそれぞれ有する。各筒状分割部４ａ，４ｂは、分割面６ａ，６ｂの側に形成され、アンカーネジ棒２２を嵌合可能な断面半円形状の溝部７ａ，７ｂを有する。なお、各分割体２ａ，２ｂの分割面６ａ，６ｂは、各筒状分割部４ａ，４ｂとボルト分割部５ａ，５ｂとの両方の合わせ面から構成されていて、両合わせ面は同一の平面に位置している。
【００１６】
したがって第１，２分割体２ａ，２ｂを重ね合わせ、各分割面６ａ，６ｂどうしを密着させて装着金具１Ａとしたとき、２つの筒状分割部４ａ，４ｂは、筒部４を形成し、２つのボルト分割部５ａ，５ｂは、外周面にネジ部１０を形成した締結用ボルト５を形成する。各筒状分割部４ａ，４ｂの各溝部７ａ，７ｂは、アンカーネジ棒２２を挿通可能にする内径の挿通孔７を形成し、挿通孔７の内周面には、アンカーネジ棒２２のネジ部２３に螺合するネジ部８が形成されている。
【００１７】
挿通孔７の内周面に形成されるネジ部８は、アンカーネジ棒２２のネジ部２３に螺合可能であるから、装着金具１Ａの各筒状分割部４ａ，４ｂでアンカーネジ棒２２を挟むように各溝部７ａ，７ｂに該アンカーネジ棒２２を収容して第１，２分割体２ａ，２ｂを分割面６ａ，６ｂで重ね合わせたとき、両筒状分割部４ａ，４ｂで形成される筒部４はアンカーネジ棒２２に螺着することになる。その結果、装着金具１Ａを回転させることによりアンカーネジ棒２２の長さ方向における装着金具１Ａの位置を適宜調整することができる。この場合、筒部４の外形を例えば六角ナットのような形にしておけば、筒部４をスパナ等の工具で挟んで装着金具１Ａを回転させることが容易にできる。
【００１８】
この実施形態では、各筒状分割部４ａ，４ｂの溝部７ａ，７ｂにネジ部８を形成し、重ね合わせた筒状分割部４ａ，４ｂで形成される筒部４がアンカーネジ棒２２に螺着し得るようにしたが、各筒状分割部４ａ，４ｂの溝部７ａ，７ｂに、アンカーネジ棒２２のネジ部２３に係止可能な線状突起部のような係止突部（図示せず）を形成しておいてもよい。ただし、係止突部の形状や構造によっては、装着金具１Ａをアンカーネジ棒２２に装着した後にアンカーネジ棒２２に対して回転させることができないことがある。その場合には、装着金具１Ａをアンカーネジ棒２２に装着した後に装着位置の調整をすることができないので、最初に装着するときに、所定の位置に正確に取り付ける必要がある。
【００１９】
各筒状分割部４ａ，４ｂの各溝部７ａ，７ｂでアンカーネジ棒２２を挟むように各分割面６ａ，６ｂどうしを密着させて第１，２分割体２ａ，２ｂを重ね合わせると、各筒状分割部４ａ，４ｂは、アンカーネジ棒２２のネジ部２３に螺着するネジ部８を内周面に有する筒部４となるが、そのままでは２つの分割体２ａ，２ｂが連結されていないので、ボルト分割部５ａ，５ｂをその合わせ面で重ねて形成された締結用ボルト５に締結ナット３を螺合する。その結果、ボルト分割部５ａ，５ｂが締結ナット３により一体に連結されるので、２つの分割体２ａ，２ｂは、合体した状態で構成される装着金具１Ａとなってアンカーネジ棒２２に取り付けられる。
【００２０】
筒状分割部４ａ，４ｂから突出する各ボルト分割部５ａ，５ｂの基端部９ａ，９ｂと筒状分割部４ａ，４ｂとの間において、合わせ面を除く外周には、各ボルト分割部５ａ，５ｂの基端部９ａ，９ｂから筒状分割部４ａ，４ｂへ向かって外径が次第に大きくなるテーパー部１１ａ，１１ｂを備えている。その結果、各ボルト分割部５ａ，５ｂが合わせ面で重ねられて一体にされ、締結用ボルト５として形成されたとき、それら各テーパー部１１ａ，１１ｂは、締結用ボルト５の基端９と筒部４の外面との間に形成されたテーパー外周部１１（図１参照）となる。
【００２１】
テーパー外周部１１は、締結用ボルト５の基端９から筒部４へ向かって外径が次第に大きくなっているので、締結ナット４が締結用ボルト５に螺合されて筒部４に接近する方向へ締め付けられると、図２に示すように筒部４に対向する締結ナット３の一端部３ａが、テーパー外周部１１に当接する。さらに締結ナット３を締め付けると、締結ナット３は、テーパー外周部１１を介して筒状分割部４ａ，４ｂに対し各分割体２ａ，２ｂの分割面６ａ，６ｂどうしを密着させる方向へ重ね合わせ力即ち結束力を付与する。このように、締結用ボルト５の基端９と筒部４の外面との間にテーパー外周部１１を形成することにより、締結ナット３を締結用ボルト５に螺合し、その締め付け度合いを調整することで、重ね合わされている２つの筒状分割部４ａ，４ｂどうしの結束力を調整することができる。
【００２２】
２つの筒状分割部４ａ，４ｂどうしの結束力を調整すると、筒部４のアンカーネジ棒２２における螺合が緩くなったり、きつくなったりするので、アンカーネジ棒２２の長さ方向への装着金具１Ａの位置調整を行うときに装着金具１Ａの回転を容易にしたり、或いは装着金具１Ａをアンカーネジ棒２２に対して回転不能な状態に固着させたりすることができる。
【００２３】
２つの分割体２ａ，２ｂを結合させる締結ナット３は、図２に示すように締結用ボルト５に螺合され、一端部３ａがテーパー外周部１１に当接したとき、他端部３ｂ側が締結用ボルト５の自由端１３から軸方向へ突出する長さを備えている。締結ナット３の他端部３ｂにおいて、締結用ボルト５が存在しない部位に、少なくとも１つの挿通孔１２が形成されている。
【００２４】
この挿通孔１２は、締結用ボルト５が螺合するネジ孔の第１中心軸線１４（図２参照）に交差する方向に延びる第２中心軸線１５（図２参照）を有する。図２，３に示す例では、第２中心軸線１５どうしがほぼ直交する２つの挿通孔１２が形成されている。これら挿通孔１２の内周面にもネジ部１２ａが形成されている。装着金具１Ａが、アンカーネジ棒２２の所定位置にしっかりと装着された後、締結ナット３に設けられた挿通孔１２（複数の場合には一方を適宜選択するか、或いは同時に２つの挿通孔１２の使用も可能）に図示しない支持ロッドの一端ネジ部を螺合するなどして取り付けたり、或いは図示しない別の支持金具のネジ部を螺合したりして支持手段を形成する。そして、この支持手段を用いて配管やケーブルなどを支持する。締結ナット３に形成された挿通孔１２に支持ロッドの一端ネジ部を螺合したりすることなく、ワイヤーなどを挿通孔１２に通して支持金具を結びつけるようにしてもよい。
【００２５】
このように装着金具１Ａは、鉄筋コンクリート製構造物２０の躯体天井面２１から垂下しているアンカーネジ棒２２の途中に、既存のハンガーを外すことなく簡単に着脱することができることから、構造物全体又はその一部の室内をリフォームする際に天井裏空間に配置されたケーブルや配管系などの備品を既存のアンカーネジ棒や必要に応じて新たに設置したアンカーネジ棒に装着して仮設することができ、その作業は非常に容易となる。
【００２６】
図３は、第２実施形態に係る装着金具１Ｂをアンカーネジ棒２２に取り付けて示す正面図である。図１に示す実施形態の装着金具１Ａでは、２つのボルト分割部５ａ，５ｂを結合して形成される締結用ボルト５が、その中心軸線と、２つの筒状分割部４ａ，４ｂを結合して形成される筒部４における挿通孔７の中心軸線とがほぼ直交するように筒部４の外面から突出していたが、この装着金具１Ｂでは、締結用ボルト５が、その中心軸線と、筒部４における挿通孔７の中心軸線とが斜めに交差するように筒部４の外面から突出している。装着金具１Ｂにおけるこれ以外の構成は、装着金具１Ａとまったく同一であるので、それらの構成の説明を省略する。
【００２７】
前述した各実施形態に係る装着金具１Ａ、１Ｂは、次のようにして容易に作ることができる。すなわち、筒部４となる所定の長さの六角ナットを準備し、その外面に、締結用ボルト５となる所定の長さのボルトの一端部を溶接等で固着する。その際、それぞれの中心軸線が、同一の仮想平面内に存在するように両者を位置決めする。六角ナットとボルトは、既製のものを使用することができる。六角ナットとボルトとの各中心軸線が、同一の仮想平面内に存在する限り、各中心軸線の相互の角度は任意でよく、装着金具１Ａ、１Ｂの用途により選択することができる。図１に示す実施例の場合、両中心軸線の相互の角度は、ほぼ９０度であり、図４に示す実施例では、両中心軸線の相互の角度は、ほぼ４５度である。
【００２８】
六角ナットにボルトの一端を溶接により固着する際、その接続部がテーパー周囲部１１となるようにボルトの外径より若干太めに溶接部を形成し、溶接後にその部分を研磨などにより所望傾斜角度のテーパーとする。次いで、固着された六角ナットとボルトとの一体物を、前述したそれぞれの中心軸線が存在する同一の仮想平面を切断面として２つに切断し、２つの分割体２，３とする。この切断にはフライス盤などを用いることができる。この切断によって、２つの分割体２，３を重ね合わせたときに形成される筒部４と締結用ボルト５の各外径は、元の六角ナットとボルトの外径より切断刃の厚み分だけ小さくなる。従って、２つの分割体２，３を、各筒状分割部４ａ，４ｂでアンカーネジ棒２２を挟むように取り付けて装着金具１Ａ，１Ｂとしても、分割面６ａ，６ｂどうしの間には若干の隙間ができることになり、これが締め付け代として寄与する。すなわち、締結ナット３を締め付けて、その端部３ａがテーパー外周部１１に当接した後に更に締め付けると、分割面６ａ，６ｂどうしの間の隙間が狭まって、各筒状分割部４ａ，４ｂがアンカーネジ棒２２を強く挟むので、装着金具１Ａ，１Ｂのアンカーネジ棒２２に対する固定力が大きくなるのである。
【００２９】
前記した各実施形態に係る装着金具１Ａ，１Ｂでは、筒部４の外形が六角ナットのような形を呈するものであったが、この発明では筒部４の外形は、図示例に限定されるものではなく、円筒形状であってもよい。また、前記した各実施形態に係る装着金具１Ａ，１Ｂでは、鉄筋コンクリート造の構造物２０における躯体天井面２１に基端部２２ａを埋設して垂下させたアンカーネジ棒２２の途中に取り付けて使用する例についてのものであったが、この発明は、このように構造物躯体の天井面２１から垂下したアンカーネジ棒２２の途中に取り付けて使用する場合に限定されるものではなく、鉄筋コンクリート造の構造物における躯体壁面から横方向へ突出する壁面化粧パネル支持用のアンカーネジ棒などについても適用することができる。
【００３０】
【発明の効果】
本発明に係る装着金具によれば、例えば構造物のコンクリート躯体天井面や壁面などに取り付けられているアンカーネジ棒の途中に簡単に装着及び取り外しができることから、建造物の室内における天井裏空間や、躯体と壁面パネルとの間においてケーブルや配管系などの備品を迅速に支持させることができる。
【図面の簡単な説明】
【図１】鉄筋コンクリート製躯体の天井面から垂下するアンカーネジ棒に第１実施形態の装着金具を取り付けた状態で示す正面図である。
【図２】図１のＩＩ−ＩＩ線で切断して装着金具を示す断面図である。
【図３】図１に示す装着金具をアンカーネジ棒に取り付ける前の状態を示す分解斜視図である。
【図４】第２実施形態の装着金具を示す、図１と同様な正面図である。
【符号の説明】
１Ａ  第１実施形態の装着金具
１Ｂ  第２実施形態の装着金具
２ａ，２ｂ  第１，２分割体
２ｂ  第２分割体
３  締結ナット
４  筒部
４ａ，４ｂ  筒状分割部
５  締結用ボルト
５ａ，５ｂ  ボルト分割部
６ａ，６ｂ  分割面
７  挿通孔
７ａ，７ｂ  溝部
８  挿通孔内周面のネジ部
９ａ，９ｂ  ボルト分割部の基端部
９  締結用ボルトの基端
１０ａ，１０ｂ  ボルト分割部の自由部
１０  締結用ボルトの自由端
１１  テーパー外周部
１１ａ，１１ｂ  テーパー部
１３  締結用ボルトの自由端
２０  鉄筋コンクリート製構造物
２１  躯体天井面
２２  備品吊り下げ用のアンカーネジ棒
２２ａ  アンカーネジ棒の埋込部
２２ｂ  アンカーネジ棒の自由端
２３  アンカーネジ棒の外周ネジ部
２４  ハンガー
２５，２６  ナット
２８  天井裏空間
【図１】
2004340262.tif 000003
【図２】
2004340262.tif 000004
【図３】
2004340262.tif 000005
【図４】
2004340262.tif 000006